(57)【要約】本発明は、同軸ケーブルにおいてＣＡＴＶアクセスネットワークを介するデータ通信のための媒体アクセス制御方法であって、スーパーフレームの下りタイムスロットにおいて中央装置からネットワーク端末に下りデータフレームを送信するステップと、同じキャリア周波数でスーパーフレームの上りタイムスロットにおいてネットワーク端末から中央装置に上りデータフレームを受信するステップとを有し、前記スーパーフレームは、データフレームを送信するように意図された少なくとも１つの下りタイムスロットと、上りデータフレームを送信する前記ネットワーク端末に前記中央装置によりそれぞれ割り当てられる１つ又はそれ以上のタイムスロットと、を有する複数のタイムスロットに分割され、各々の一の上りタイムスロットは１つのネットワーク端末に割り当て可能である、媒体アクセス制御方法に関する。有利であることに、データは、保証されたＱｏＳを有する、このアクセス制御方法を用いることにより、同軸ケーブルにおいてＣＡＴＶアクセスネットワークを介して送信される。
2009533919.tif 000002
【特許請求の範囲】
【請求項１】
通信媒体において、中央装置に接続された１つ又はそれ以上のネットワーク端末を有するアクセスネットワークのための中央装置の端部における媒体アクセス制御方法であって：
キャリア周波数で、スーパーフレームの下りタイムスロットにおいて前記ネットワーク端末に前記中央装置から下りデータフレームを送信するステップ；及び
同じ前記キャリア周波数で、前記スーパーフレームの上りタイムスロットにおいて前記中央装置に前記ネットワーク端末から上りデータフレームを受信するステップ；
を有する、媒体アクセス制御方法であり、
前記中央装置は、有線通信媒体において、前記１つ又はそれ以上のネットワーク端末に接続されている；
ことを特徴とする、前記媒体アクセス制御方法は：
それぞれのネットワーク端末に前記上りタイムスロットを割り当てるステップであって、それにより、前記中央装置は、前記スーパーフレームのそれぞれの割り当てられた上りタイムスロットにおける前記ネットワーク端末から前記上りデータフレームを受信する、ステップ；
を更に有し、
前記スーパーフレームは、前記中央装置から前記ネットワーク端末にデータフレームを送信するように意図された少なくとも１つの下りタイムスロットと、上りデータフレームを送信する前記ネットワーク端末に前記中央装置によりそれぞれ割り当てられる１つ又はそれ以上の上りタイムスロットと、を有する複数のタイムスロットに分割され、各々の１つの上りタイムスロットは１つのネットワーク端末に割り当て可能である；
ことを特徴とする媒体アクセス制御方法。
【請求項２】
請求項１に記載の媒体アクセス制御方法であって：
前記ネットワーク端末が前記中央装置の時間と同期されることが可能である同期情報を定期的に送信するように、前記スーパーフレームの各々の一において、同期タイムスロットにおける前記ネットワーク端末に前記中央装置から同期フレームを送信するステップ；
を更に有することを特徴とする、媒体アクセス制御方法。
【請求項３】
請求項１に記載の媒体アクセス制御方法であって：
前記スーパーフレームの各々の一の接続タイムスロットにおいて上りタイムスロットを割り当てる前記ネットワーク端末からの登録要求を受信するステップ；
を更に有することを特徴とする、媒体アクセス制御方法。
【請求項４】
請求項３に記載の媒体アクセス制御方法であって、前記中央装置は、競合タイムスロットのそれぞれのサブタイムスロットにおいて上りタイムスロットを割り当てる前記ネットワーク端末から前記登録要求を受信することを特徴とする、媒体アクセス制御方法。
【請求項５】
請求項４に記載の媒体アクセス制御方法であって、前記競合タイムスロットは、持続時間の長さに等しい、所定数のサブタイムスロットに分割されることを特徴とする、媒体アクセス制御方法。
【請求項６】
請求項４又は５に記載の媒体アクセス制御方法であって、前記ネットワーク端末について、予め割り当てられた上りタイムスロットが存在しないとき、前記中央装置は、前記競合タイムスロットのランダムに選択されたサブタイムスロットにおける前記ネットワーク端末から前記登録要求を受信し、そうでないとき、前記中央装置は、前記ネットワークについて、予め割り当てられた上りタイムスロットの同じシーケンス数の値を有するサブタイムスロットにおいて前記登録要求を受信することを特徴とする、媒体アクセス制御方法。
【請求項７】
請求項１に記載の媒体アクセス制御方法であって：
前記ネットワーク端末から受信された登録要求に応答して、前記ネットワーク端末に前記中央装置から登録要求を送信するステップ；
を更に有することを特徴とする、媒体アクセス制御方法。
【請求項８】
請求項１に記載の媒体アクセス制御方法であって：
前記ネットワーク端末から受信された不登録要求に応答して、ネットワーク端末について割り当てられる上りタイムスロットを開放するステップ；
を更に有することを特徴とする、媒体アクセス制御方法。
【請求項９】
請求項１に記載の媒体アクセス制御方法であって：
所定の閾値より長い時間の間、前記ネットワーク端末から受信されるアライブ通報が存在しない場合、ネットワーク端末について割り当てられる上りタイムスロットを開放するステップ；
を更に有することを特徴とする、媒体アクセス制御方法。
【請求項１０】
通信媒体において、中央装置に接続された１つ又はそれ以上のネットワーク端末を有するアクセスネットワークのための中央装置の端部における媒体アクセス制御方法であって：
キャリア周波数で、スーパーフレームの下りタイムスロットにおいて前記ネットワーク端末に前記中央装置から下りデータフレームを受信するステップ；及び
同じ前記キャリア周波数で、前記スーパーフレームの上りタイムスロットにおいて前記中央装置に前記ネットワーク端末から上りデータフレームを送信するステップ；
を有する、媒体アクセス制御方法であり、
前記ネットワーク端末は、有線通信媒体において、前記中央装置に接続されている；
前記媒体アクセス制御方法であり、
前記上りデータフレームを送信する前記ネットワーク端末のために、スーパーフレームの各々の一における１つの専用の上りタイムスロットを割り当てるステップであって、それにより、前記ネットワーク端末は、前記スーパーフレームの前記専用の上りタイムスロットにおいて、前記上りデータフレームを送信する、ステップ；
を更に有し、
前記スーパーフレームは、前記中央装置から前記ネットワーク端末にデータフレームを送信するように意図された少なくとも１つの下りタイムスロットと、上りデータフレームを送信する前記ネットワーク端末に前記中央装置によりそれぞれ割り当てられる１つ又はそれ以上の上りタイムスロットと、を有する複数のタイムスロットに分割され、各々の１つの上りタイムスロットは１つのネットワーク端末に割り当て可能である；
ことを特徴とする媒体アクセス制御方法。
【請求項１１】
請求項１０に記載の媒体アクセス制御方法であって：
前記中央装置との同期時分割モード通信を開始するように、そして、受信された同期情報に応答して、前記中央装置の時間と定期的に同期するように、前記スーパーフレームの各々の一において、同期タイムスロットにおける前記ネットワーク端末に前記中央装置から同期フレームを送信するステップ；
を更に有することを特徴とする、媒体アクセス制御方法。
【請求項１２】
請求項１１に記載の媒体アクセス制御方法であって：
前記スーパーフレームの各々の一の競合タイムスロットにおいて前記ネットワーク端末のために、前記スーパーフレームの各々の一における１つの専用の上りタイムスロットを割り当てるように、受信された同期フレームに応答して、前記ネットワーク端末から前記中央装置に登録要求を送信するステップ；
を更に有することを特徴とする、媒体アクセス制御方法。
【請求項１３】
請求項１２に記載の媒体アクセス制御方法であって、前記ネットワーク端末は、前記競合タイムスロットのそれぞれのサブタイムスロットにおいて前記中央装置に前記上りタイムスロットを割り当てるために前記登録要求を送信することを特徴とする、媒体アクセス制御方法。
【請求項１４】
請求項１３に記載の媒体アクセス制御方法であって、前記競合タイムスロットは、持続時間の長さに等しい、所定数のサブタイムスロットに分割されることを特徴とする、媒体アクセス制御方法。
【請求項１５】
請求項１３又は１４に記載の媒体アクセス制御方法であって、前記ネットワーク端末について、予め割り当てられた上りタイムスロットが存在しないとき、前記ネットワーク端末は、前記競合タイムスロットのランダムに選択されたサブタイムスロットにおける前記中央装置に対する前記登録要求を送信し、そうでないとき、前記ネットワーク端末は、前記ネットワークについて、予め割り当てられた上りタイムスロットの同じシーケンス数の値を有するサブタイムスロットにおいて前記登録要求を送信することを特徴とする、媒体アクセス制御方法。
【請求項１６】
請求項１０に記載の媒体アクセス制御方法であって：
前記ネットワーク端末から送信された登録要求に応答して、前記中央装置から前記登録要求を送信するステップ；
を更に有することを特徴とする、媒体アクセス制御方法。
【請求項１７】
請求項１０に記載の媒体アクセス制御方法であって：
前記ネットワーク端末が、前記中央装置との現在の通信モードを終了することを決定するとき、前記ネットワーク端末について割り当てられる上りタイムスロットを開放するように、前記中央装置に不登録要求を送信するステップ；
を更に有することを特徴とする、媒体アクセス制御方法。
【請求項１８】
請求項１０に記載の媒体アクセス制御方法であって：
前記中央装置との前記現在の通信モードを保つように、前記中央装置にアライブ通報を定期的に送信するステップ；
を更に有することを特徴とする、媒体アクセス制御方法。
【発明の詳細な説明】
【技術分野】
【０００１】
本発明は、データ伝送技術に関し、特に、同軸ケーブルにおいてＣＡＴＶアクセスネットワークを介するデータ伝送の媒体アクセス制御のための方法に関する。
【背景技術】
【０００２】
ケーブルシステムにおけるデータのための通信及び動作支援インタフェースを規定する幾つかの既存の仕様が存在している。それらの仕様の１つは、ＤＯＣＳＩＳ（Ｄａｔａ  Ｏｖｅｒ  Ｃａｂｌｅ  Ｓｅｒｖｉｃｅ  Ｉｎｔｅｒｆａｃｅ  Ｓｐｅｃｉｆｉｃａｔｉｏｎ）であり、既存のケーブルテレビシステムへの高速データ転送の追加を可能にし、それらの既存のＨＦＣ（Ｈｙｂｒｉｄ  Ｆｉｂｒｅ  Ｃｏａｘｉｌ）インフラにおいてインターネットにアクセスするように、多くのケーブルテレビ事業者に採用されている。
【０００３】
しかしながら、それらの解決方法に基づいてデザインされたケーブルモデムは非常に高価である。また、リアルタイムの音声通信及び映像ストリーミングについて極めて重要なサービス品質（ＱｏＳ：Ｑｕｌａｒｉｔｙ  ｏｆ  Ｓｅｒｖｉｃｅ）が、それらの方法には保証されていない。
【０００４】
他方、ＷｉＦｉ技術の急速な進展に伴って、市場規模の著しい拡大が、最近、ＩＥＥＥ８０２．１１の実施費用をかなり低下させている。ＩＥＥＥ８０２．１１プロトコルスタックの成熟したハードウェア及びソフトウェアを実施する概念が、一部の従来技術において提案されているが、それらのどれもが、現在まで、実際に実行可能になっていない。
【０００５】
それ故、サービス品質（ＱｏＳ）を保証することができる、同軸ケーブルにおいてＣＡＴＶアクセスネットワークを介してデータを送信することができるように、新しい方法を開発することが切望されている。
【発明の開示】
【発明が解決しようとする課題】
【０００６】
本発明においては、ＣＡＴＶアクセスネットワークを介して同軸ケーブルにおけるデータサービスのための、コストパフォーマンスの高い及びＱｏＳが保証された技術を提供することができる、新しい媒体アクセス制御方法が開発されている。
【課題を解決するための手段】
【０００７】
本発明の一特徴において、媒体アクセス制御方法は、同軸ケーブルにおける中央装置に接続した１つ又はそれ以上のネットワーク端末を有する前記アクセスネットワークを介して、データ伝送のためのＣＡＴＶアクセスネットワークを、中央装置エンド及びネットワーク端末エンドの両方に提供する。その方法は、一般に、スーパーフレームのダウンストリームデータスロットにおいて前記中央装置から前記ネットワーク端末にダウンストリームデータフレームを送信する段階と、同期モードの同じキャリア周波数でスーパーフレームのアップストリームタイムスロットにおいて前記ネットワーク端末から前記中央装置にアップストリームデータフレームを受信する段階を有する。前記スーパーフレームは、前記中央装置から前記ネットワーク端末にデータフレームを送信するように意図された少なくとも１つのダウンストリームタイムスロット、及び、アップストリームデータフレームを送信する前記ネットワーク端末に前記中央装置によりそれぞれ関連付けられる１つ又はそれ以上のアップストリームタイムスロット、を有する複数のタイムスロットに分割される。
【０００８】
有利であることに、それらのデータフレームは、同期モードの同軸ケーブルにおいてＣＡＴＶネットワークを介して時分割機能における前記ネットワーク端末と前記中央装置との間で送信される。それ故、音声、映像及びデータ等のサービスが、既存の同軸ケーブルにおいて送信されることが可能であり、一部の成熟したハードウェア及びソフトウェアの実施が、多くの変更を伴わずに、ケーブルアクセスネットワークにおいて採用されることが可能であり、この同期のＴＤＦの解決方法に基づいてデザインされたシステムは、それ故、高価ではない。
【発明を実施するための最良の形態】
【０００９】
概要
アプリケーションシナリオ
既存の同軸ケーブルＴＶシステム（ＣＡＴＶ）においてデータサービスを提供するように、本発明は、ケーブルアクセスネットワークにおいて、時分割機能（ＴＤＦ）プロトコルに対応しているアクセスポイント（ＡＰ）及びステーション（ＳＴＡｓ）を設置する。アクセスポイント及びステーションは、階層ツリー構造にあるスプリッタを介して接続される。このようにして、ユーザは、家庭で、ケーブルアクセスネットワークを介して遠隔ＩＰコアネットワークにアクセスすることができる。詳細なネットワークトポロジについては、図１に示している。
【００１０】
図１から理解できるように、この典型的なアクセスネットワークインフラにおいて、ＩＰコアネットワークと関連する１つのイーサネット（登録商標）インタフェースを有する、ＴＤＦプロトコルに対応したアクセスポイントと、ケーブルアクセスネットワークと関連する１つの同軸ケーブルインタフェースとが存在する。ケーブルアクセスネットワークの他端においては、ＴＤＦプロトコルに対応するステーション、即ち、同軸ケーブルインタフェースを介してケーブルアクセスネットワークと、及びイーサネット（登録商標）インタフェースを介して家庭ＬＡＮ（ローカルエリアネットワーク）と接続している端末が存在する。
【００１１】
本発明に従って、ＴＤＦアクセスポイント及びステーションの両方は、８０２．１１シリーズの仕様に従って、論理リンク制御サブレイヤ、ＭＡＣサブレイヤ及び物理レイヤにおいて、個別にプロトコルスタックを実施する。しかしながら、ＭＡＣサブレイヤにおいては、ＴＤＳアクセスポイント及びステーションは、８０２．１１フレーム送信エンティティをＴＤＦフレーム送信エンティティと置き換える。それ故、ＴＤＦアクセスポイント及びステーションについてのＭＡＣサブレイヤは、８０２．１１フレームカプセル化／でカプセル化エンティティ及びＴＤＦフレーム送信エンティティを有する一方、８０２．１１に対応するアクセスポイント及びステーションについてのＭＡＣエンティティは、８０２．１１フレームカプセル化／でカプセル化エンティティ及び８０２．１１フレーム送信エンティティを有する。統合されたアクセスポイント及びステーションについて、ＴＤＦフレーム送信エンティティ及び８０２．１１フレーム送信エンティティは、８０２．１１及びＴＤＦ機能を与えるように、同時に共存することが可能である。それら２つのモード間の切り替えは、手動による構成又は動的な構成により実現されることが可能である。
【００１２】
基本方法
ＴＤＦプロトコルの主概念は、放送に代えて、同軸ケーブル媒体においてＩＥＥＥ８０２．１１フレームを送信することである。ＩＥＥＥ８０２．１１機構を用いる目的は、成熟した８０２．１１プロトコルスタックのハードウェア及びソフトウェアを実行することである。
【００１３】
ＴＤＦの主な特徴は、そのＩＥＥＥ８０２．１１データフレームを送信する特異な媒体アクセス制御方法である。即ち、その特徴は、ＭＳＤＵ（ＭＡＣサービスデータ単位）及びＭＭＰＤＵ（ＭＡＣ管理プロトコルデータ単位）を有するＭＡＣフレームを交換する従来のＩＥＥＥ８０２．１１  ＤＣＦ（Ｄｉｓｔｒｉｂｕｔｅｄ  Ｃｏｏｒｄｉｎａｔｉｏｎ  Ｆｕｎｃｔｉｏｎ：分散協調型機能）又はＰＣＦ（Ｐｏｉｎｔ  Ｃｏｏｒｄｉｎａｔｉｏｎ  Ｆｕｎｃｔｉｏｎ：ポイント協調型機能）機構をＭＡＣフレームを交換するように利用せず、それらのＤＣＦ及びＰＣＦは、ＭＳＤＵ（ＭＡＣサービスデータ単位）及びＭＭＰＤＵ（ＭＡＣ管理プロトコルデータ単位）を有する。それに代えて、その特徴は、ＭＡＣフレームを送信する時分割アクセス方法を用いる。それ故、ＴＤＦは、ＭＡＣアブレイヤ内に位置付けられているフレーム送信エンティティの詳細の実行を規定するアクセス方法である。
【００１４】
比較目的で、ここでは、図２に示すように、ＯＳＩ参照モデルにおけるＩＥＥＥ８０２．１１  ＭＡＣサブレイヤプロトコルを例示としている。一方、ＯＳＩ参照モデルにおけるＴＤＦプロトコルについての正確な位置が、図３に示されている。
【００１５】
通信モード開始手順
現在、下に記載しているＴＤＦに対応するステーションについて提案されている２つの通信モードが存在する。それらの通信モードの１つは、ＩＥＥＥ８０２．１１シリーズ規格で規定されているフレーム構造及び伝送機構に従う標準ＩＥＥＥ８０２．１１動作モードである。他のモードはＴＤＦ動作モードであり、そのＴＤＦ動作モードの詳細については、下の段落で説明する。ＴＤＦステーションが開始されるときに、どの動作モードに入るかを決定するストラテジが、図４に示されている。一旦、ＴＤＦステーションがアクセスポイントから同期フレームを受信すると、ＴＤＦモードに入ることが可能であり、プリセットタイムアウトにおいて受信される同期フレームが存在する場合、ＴＤＦステーションはそのままの状態を保つ、又はＩＥＥＥ８０２．１１モードに移行する。
【００１６】
ＴＤＦプロトコル機能の説明
アクセス方法
ＴＤＦステーションにおける物理レイヤは、性能及び装置保守を改善する目的で、動的速度切り換えを実行するようにする、複数のデータ転送速度の能力を有することが可能である。現在、ＴＤＦステーションは、３つの種類のデータ速度、即ち、５４Ｍｂｐｓ、１８Ｍｂｐｓ及び６Ｍｂｐｓに対応することが可能である。データワービスは、主に、５４Ｍｂｐｓのデータ速度で与えられる。ステーションが５４Ｍｂｐｓのデータ送信に対応するために、幾つかの課題が存在するとき、そのステーションは、一時的に、１８Ｍｂｐｓのデータ速度に切り換えられることが可能である。６Ｍｂｐｓのデータ速度の動作モードは、ネットワーク保守及びステーションデバギングの目的でデザインされる。
【００１７】
データ速度は、ＴＤＦステーションがＴＤＦ通信手順に入る前に、固定され、全体の通信処理中、同様に保たれることが可能である。他方、ＴＤＦステーションはまた、サービス中、動的なデータ速度の切り換えを支援することが可能である。データ速度の切り換えのための基準は、チャネル信号の品質及び他の因子に基づくことが可能である。
【００１８】
ＴＤＦプロトコルの基本的なアクセス方法は、時分割多重接続（ＴＤＭＡ）であり、その時分割多重接続は、異なるタイムスロットに分割することにより、同じチャネルを複数のユーザが共有することを可能にする。ＴＤＦステーションは、次々に、上りトラフィックのために間断なく送信され、各々のＴＤＦステーションは、ＴＤＦアクセスポイントにより割り当てられるＴＤＦスーパーフレームにおいてそれら自体のタイムスロットを用いる。下りトラフィックについては、ステーションはチャネルを共有し、フレームにおける接続先アドレス情報をそれらのアドレスと比較することにより、それらのチャネルを対象としてデータ又は管理フレームを選択する。図５は、上り送信機会について同時に競争するステーションが存在するときの、典型的なＴＤＦスーパーフレームについてのタイムスロット割り当て及びＴＤＦスーパーフレーム構造の例を示している。
【００１９】
図５に示すように、ＴＤＦアクセスポイントからＴＤＦステーションにクロック同期情報を送信するように用いられる１つの同期タイムスロットと、上りタイムスロット割り当てのための登録要求を送信するように用いられる１つの競合タイムスロットと、データ及び登録応答管理フレームをモデムに送信するように、ＴＤＦアクセスポイントにより用いられるｔｄｆＤｏｗｎｌｉｎｋＴｉｍｅＳｌｏｔＮｕｍｂｅｒ下りタイムスロットと、を有する、ＴＤＦスーパーフレーム当たりのｔｄｆＴｏｔａｌＴｉｍｅＳｌｏｔＮｕｍｂｅｒｔｉｍｅｓｌｏｔｓが存在する。同期タイムスロットを除いて、共通タイムスロットと命名されている全ての他のタイムスロットは、ｔｄｆＣｏｍｍｏｎＴｉｍｅＳｌｏｔＤｕｒａｔｉｏｎと等しい長さである同じ持続時間を有する。ｔｄｆＣｏｍｍｏｎＴｉｍｅＳｌｏｔＤｕｒａｔｉｏｎの値は、最も高いデータ速度のモードについて、１つの通常のタイムスロットにおいて少なくとも１つの最も大きいＩＥＥＥ８０２．１１  ＰＬＣＰ（物理レイヤコンバージェンスプロトコル）のプロトコルデータユニット（ＰＰＤＵ）を可能にするように規定される。同期タイムスロットの持続時間、即ち、ｔｄｆＳｙｎｃＴｉｍｅＳｌｏｔＤｕｒａｔｉｏｎは、共通タイムスロットの持続時間より短く、それは、このタイムスロットにおいてＴＤＦアクセスポイントからＴＤＦステーションに送信されるクロック同期フレームが８０２．１１データフレームより短いためである。
【００２０】
結果的に、ｔｄｆＳｕｐｅｒｆｒａｍｅＤｕｒａｔｉｏｎとして規定される１つのＴＤＦスーパーフレームの持続時間は、
ｔｄｆＳｕｐｅｒｆｒａｍｅＤｕｒａｔｉｏｎ  ＝  ｔｄｆＳｙｎｃＴｉｍｅＳｌｏｔＤｕｒａｔｉｏｎ  ＋  ｔｄｆＣｏｍｍｏｎＴｉｍｅＳｌｏｔＤｕｒａｔｉｏｎ  ＊  （ｔｄｆＴｏｔａｌＴｉｍｅＳｌｏｔＮｕｍｂｅｒ  −  １）
により計算されることが可能である。
【００２１】
ｔｄｆＴｏｔａｌＴｉｍｅＳｌｏｔＮｕｍｂｅｒ、ｔｄｆＵｐｌｉｎｋＴｉｍｅＳｌｏｔＮｕｍｂｅｒ及びｔｄｆＤｏｗｎｌｉｎｋＴｉｍｅＳｌｏｔＮｕｍｂｅｒの間の関係は次式を満足する。
ｔｄｆＴｏｔａｌＴｉｍｅＳｌｏｔＮｕｍｂｅｒ  ＝  ｔｄｆＵｐｌｉｎｋＴｉｍｅＳｌｏｔＮｕｍｂｅｒ  ＋  ｔｄｆＤｏｗｎｌｉｎｋＴｉｍｅＳｌｏｔＮｕｍｂｅｒ  ＋  ２
更に、ＴＤＦスーパーフレームにおけるＴＤＦステーションについて割り当てられた上りタイムスロットの数は、１からｔｄｆＵｐｌｉｎｋＴｉｍｅＳｌｏｔＮｕｍｂｅｒまで変化することが可能である。従って、ＴＤＦスーパーフレームにおける利用可能な下りタイムスロットは、（ｔｄｆＴｏｔａｌＴｉｍｅＳｌｏｔＮｕｍｂｅｒ−２）から（ｔｄｆＴｏｔａｌＴｉｍｅＳｌｏｔＮｕｍｂｅｒ−２−ｔｄｆＭａｘｉｍｕｍＵｐｌｉｎｋＴｉｍｅＳｌｏｔＮｕｍｂｅｒ）まで変化することが可能である。上りタイムスロットを要求する１つのＴＤＦステーションが存在する度に、ＴＤＦアクセスポイントは、利用可能な下りタイムスロットから１つ又はそれ以上のタイムスロットを推測し、次いで、その後に、上りタイムスロット数がｔｄｆＭａｘｉｍｕｍＵｐｌｉｎｋＴｉｍｅＳｌｏｔＮｕｍｂｅｒを越えない限り、ＴＤＦステーションにそれらのタイムスロットを割り当てる。ｔｄｆＭａｘｉｍｕｍＵｐｌｉｎｋＴｉｍｅＳｌｏｔＮｕｍｂｅｒの値は、異なる実行において変わることが可能である。しかし、データサービスのＱｏＳを保証するように、関連ＴＤＦステーションいついて利用可能である少なくとも１つの下りタイムスロットが存在するように、その値は注意深く選択される必要がある。更に、同様の方向の送信のために同様のＴＤＦステーション又はアクセスポイントにより用いられる全ての連続するタイムスロットは、不必要な変換及び保護によりもたらされるそれらのタイムスロットの端における無駄を回避するように、ＭＡＣフレームを連続して送信するように、統合されることが可能である。
【００２２】
現在の実行においては、ｔｄｆＣｏｍｍｏｎＴｉｍｅＳｌｏｔＤｕｒａｔｉｏｎは、５４Ｍモードについて１つの共通タイムスロットにおいて少なくとも１つの最も大きい８０２．１１ＰＰＤＵをＴＤＦステーションが送信するのに十分である、約３００μｓｅｃであり、ＴＤＦスーパーフレーム当たり全部で６２個のタイムスロットが存在する。それらのタイムスロットにおいては、このように、２０個の上りタイムスロット及び４０個の下りタイムスロットが存在する。２０個のステーションが存在するとき、各々のＴＤＦステーションは、６８０ｋｂｐｓの上りデータ速度のアクセスを有し、３０Ｍｂｐｓ（４０個の連続したタイムスロット）の下りデータ速度を共有し、３０ステーションが存在するとき、各々のＴＤＦステーションは、６８０ｋｂｐｓの上りデータ速度のアクセスを有し、２２．５Ｍｂｐｓ（３０個の連続したタイムスロット）の下りデータ速度を共有することが、保証されることが可能である。ｔｄｆＭａｘｉｍｕｍＵｐｌｉｎｋＴｉｍｅＳｌｏｔＮｕｍｂｅｒは３０である。最終的に、ｔｄｆＳｕｐｅｒｆｒａｍｅＤｕｒａｔｉｏｎの値は、６１個の共通タイムスロット及び１つの同期タイムスロットの全持続時間であり、約１８．６ｍｓｅｃであり、異なる使用について異なる値に決められることが可能である。例えば、単に１つのＴＤＦステーションが存在する場合、約１８Ｍｂｐｓの情報データ速度を達成し、１８Ｍｂｐｓ（４つの連続したタイムスロット）の下りデータ速度を有するように、４つのタイムスロットを有することが、保証されることが可能である。このように、ｔｄｆＳｕｐｅｒｆｒａｍｅＤｕｒａｔｉｏｎの値は、９つのデータタイムスロット及び１つの同期タイムスロットの全持続時間であり、約４ｍｓｅｃである。
【００２３】
フレームフォーマット
８０２．１１の仕様においては、３つの主なフレームの種類がある。データフレームは、ステーション間でデータを交換するように用いられる。幾つかの異なる種類のデータフレームが、ネットワークに応じて、存在することが可能である。制御フレームは、領域クリーニング動作、チャネル取得及びキャリアセンス保守機能、並びに受信データの肯定応答を実行するように、データフレームと共に用いられる。制御フレーム及びデータフレームは、ステーション間でデータを、高信頼性を有して、供給することに関連して機能する。より具体的には、データフレーム交換のための１つの重要な特徴は、応答機構が存在し、従って、信頼できない無線チャネルによりもたらされるデータ損失の可能性を低減するように、全ての下りユニキャストフレームについて応答（ＡＣＫ）フレームが存在することである。最終的には、管理フレームは、管理機能を実行し、それらの管理フレームは、無線ネットワークに加入する及びそれから脱退するように、そしてアクセスポイント間の関連性を変えるように、用いられる。
【００２４】
しかしながら、ＴＤＦシステムにおいては、ＴＤＦステーションは、対象であるＴＤＦアクセスポイントを見つけるように、ＴＤＦアクセスポイントからの同期フレームを受動的に待つため、従来のプローブ要求フレーム及びプローブ応答フレームの必要はない。更に、それらのフレームは、放送の代わりに、同軸ケーブルにおいて交換され、それ故、ある領域を取り除き、隠されたノード問題を回避するように、ＲＴＳフレーム及びＣＴＳフレームを規定し、データフレームの供給の高信頼性を保証するようにＡＣＫフレームを規定する必要はない。
【００２５】
それ故、ＴＤＦプロトコルでは、同軸ケーブルにおいて、一部の有用な８０２．１１ＭＳＤＵ及びＭＭＰＤＵの種類のデータのみを用いる。例えば、上位レイヤのデータをカプセル化し、一のステーションから他のステーションにそのデータを送信するように用いられる、データフレームのタイプについてデータのサブタイプを用いる。更に、ＴＤＦシステムにおけるクロック同期要求に対処するように、管理フレーム−同期フレームの新しいタイプを規定し、上りタイムスロット要求の機能、割り当て及び開放を実現するように、登録要求、登録応答、非登録要求及びアライブ通報である、他の４つのタイプの管理フレームが定義される。
【００２６】
上記を要約すると、ＴＤＦプロトコルの管理フレームのタイプについて４つの新しいサブタイプを定義した。次の表において、ＴＤＦプロトコルに追加されるタイプ及びサブタイプの有効な組み合わせが定義されている。表１は、ＴＤＦプロトコルに追加されたＴＤＦフレームについての有効なタイプ及びサブタイプを示している。
【００２７】
【表１】
2009533919.tif 000003
ＴＤＦアクセス手順
ＴＤＦアクセスポイント発見及びクロック同期手順
ＴＤＦプロトコルは、ノード全てに対してタイミング情報の分配にかなり依存する。先ず、ＴＤＦステーションは、利用可能なＴＤＦアクセスポイントが存在するかどうかを判定するように、同期フレームを受信する。一旦、そのＴＤＦステーションがＴＤＦ通信手順に入ると、そのＴＤＦステーションは、ローカルタイマーを適合させる同期フレームを用い、その同期フレームに基づいて、そのＴＤＦステーションは、上りフレームを送信する順番であるかどうかを判定する。いつでも、ＴＤＦアクセスポイントは親機であり、ＴＤＦステーションは、同期手順において子機である。更に、そのＴＤＳステーションが、ｔｄｆＳｙｎｃｈｒｏｎｉｚａｔｉｏｎＣｙｃｌｅとして定義される所定の閾値の期間の間に、関連アクセスポイントから何れかの同期フレームを受信しなかった場合、そのＴＤＦステーションは、アクセスポイントがサービスを脱退し、その場合、ＴＤＦ通信処理を停止し、同期フレームを再び、受信することにより、何れかのＴＤＦアクセスポイントを探し始めることを考える。
【００２８】
ＴＤＦシステムにおいて、同じＴＤＦアクセスポイントと関連する全てのステーションは、共通のクロックに対して同期される。ＴＤＦアクセスポイントは、ローカルネットワークにおけるモデムを同期するようにクロック情報を有する同期と称される特定のフレームを、周期的に送信する。全てのＴＤＦステーションは、それが関連ＴＤＦアクセスポイントと同期されることを確実にするように、ローカルタイミング同期機能（ＴＳＦ）タイマーを保つ。同期フレームを受信した後、ＴＤＦステーションは、常に、フレームにおけるタイミング情報にアクセスする。そのＴＳＦタイマーが受信された同期フレームにおけるタイムスタンプと異なる場合、受信ＴＤＦステーションは、受信されるタイムスタンプ値に従って、そのローカルタイマーを設定する。更に、その受信ＴＤＦステーションは、トランシーバによる局所的処理を占めるように、受信タイミング値に対して小さいオフセットを加える。
【００２９】
同期フレームは、ＴＤＦスーパーフレームタイムユニット毎に一回、ＴＤＦアクセスポイントによる送信のために生成され、全てのＴＤＦスーパーフレームの同期タイムスロットに送信される。
【００３０】
登録手順
図６は、登録の全手順を図示している。一旦、ＴＤＦステーションが、同期フレームからタイマー同期情報を取得すると、そのＴＤＦステーションは、いつタイムスロット０が開始したかを学習する。ＴＤＦステーションが、何れかのＴＤＦアクセスポイントと関連していない場合、そのＴＤＦステーションは、ＴＤＦスーパーフレームにおける第２タイムスロットである競合タイムスロットの間に、ＴＤＦアクセスポイントに登録要求フレームを送信することにより、同期フレームを送信する特定のＴＤＦアクセスポイントに登録するように試みる。ｔｄｆＣｏｍｍｏｎＴｉｍｅＳｌｏｔＤｕｒａｔｉｏｎに等しい競合タイムスロットの持続時間及び登録要求フレーム構造は、１つの競合タイムスロットにおける少なくともｔｄｆＭａｘｉｍｕｍＵｐｌｉｎｋＴｉｍｅＳｌｏｔＮｕｍｂｅｒ登録要求フレームを送信することを可能にするように、注意深くデザインされる必要がある。そのデザインに基づいて、その競合タイムスロットは、ｔｄｆＭａｘｉｍｕｍＵｐｌｉｎｋＴｉｍｅＳｌｏｔＮｕｍｂｅｒと同じ長さのサブタイムスロットに分割される。
【００３１】
ＴＤＦステーションが対象のＴＤＦアクセスポイントを見つけるとすぐ、ＴＤＦステーションは、次の方法に従って、ＴＤＦアクセスポイントに登録要求フレームを送信するように、競合タイムスロットにおいて１つのサブタイムスロットを選択する。
−  上りタイムスロットが割り当てられる度に、ＴＤＦステーションは、全上りタイムスロットにおけるタイムスロットの位置を示し、１乃至ｔｄｆＭａｘｉｍｕｍＵｐｌｉｎｋＴｉｍｅＳｌｏｔＮｕｍｂｅｒの範囲内にあるｔｓｆＡｌｌｏｃａｔｅｄＵｐｌｉｎｋＴｉｍｅｒＳｌｏｔとして定義される、割り当てられた上りタイムスロット数を記憶する。
−  ＴＤＦアクセスポイントは、それが上りタイムスロットを求める度に、同じＴＤＦステーションに同じ上りタイムスロットを割り当てるように最善を尽くす必要がある。
−  どのサブタイムスロットが登録要求フレームを送信するべきかを選択するように判定されるとき、記憶されているｔｄｆＡｌｌｏｃａｔｅｄＵｐｌｉｎｋＴｉｍｅＳｌｏｔ値が存在する場合、ＴＤＦステーションは、ｔｄｆＡｌｌｏｃａｔｅｄＵｐｌｉｎｋＴｉｍｅＳｌｏｔと同じサブタイムスロット数を設定し、そのような値が存在しない場合、ＴＤＦステーションは、ｔｄｆＭａｘｉｍｕｍＵｐｌｉｎｋＴｉｍｅＳｌｏｔＮｕｍｂｅｒの利用可能なサブタイムスロットにおいて１つのサブタイムスロットをランダムに選択する。ランダムに選択されたサブタイムスロットにおいてＴＤＦアクセスポイントに登録要求フレームが送信される。
【００３２】
このような種類の動作の目的は、同時に、複数のステーションが開始する衝突の機会を減少させ、同時に、同じＴＤＦアクセスポイントに登録するように試みることである。
【００３３】
ＴＤＦステーションは、そのとき、対応している全てのデータ速度を挙げ、登録要求フレームにおいて受信された信号キャリア／ノイズ比等のある有用な情報をまた、搬送する。そのＴＤＦステーションは、最も高いデータ速度から開始して、異なる支援データ速度で幾つかの連続的な登録要求フレームを送信することが可能である。そのフレームが送信された後、ＴＤＦステーションは、ＴＤＦアクセスポイントから登録要求フレームを受信する。
【００３４】
ＴＤＦステーションから登録要求フレームを受信した後、次の方法に基づいて、ＴＤＦアクセスポイントは、下りタイムスロットにおけるＴＤＦステーションに異なる種類の登録要求フレームを戻すように送信する。
−  既に割り当てられた上りタイムスロットがｔｄｆＭａｘｉｍｕｍＵｐｌｉｎｋＴｉｍｅＳｌｏｔＮｕｍｂｅｒに等しい場合、ＴＤＦアクセスポイントは、そのフレーム本体にｕｐｌｉｎｋＴｉｍｅＳｌｏｔＵｎａｖａｉｌａｂｌｅ指標を入れる。
−  ＴＤＦアクセスポイントが、ｓｕｐｐｏｔｅｄＤａｔａｒａｔｅｓＳｅｔに挙げられている何れかのデータ速度を支援していない場合、ＴＤＦアクセスポイントは、そのフレーム本体にｕｎｓｕｐｐｏｔｅｄＤａｔａｒａｔｅｓＳｅｔ指標を入れる。
−  割り当てるように利用可能である上りタイムスロットと、ＴＤＦアクセスポイント及びＴＤＦステーションの両方が支援することができるが共通データ速度とが存在する場合、そのアクセスポイントは、そのステーションの登録要求フレームにおけるキャリア／ノイズ比等のある情報に従って、１つの上りタイムスロットを割り当て、適切な共通データ速度を選択し、次いで、ＴＤＦステーションに登録応答フレームを送信する。フレーム本体において、割り当てられた上りタイムスロット及び選択されたデータ速度についての情報が含まれている。
【００３５】
連続的な登録処理の後、ＴＤＦステーション及びＴＤＦアクセスポイントは、どの上りタイムスロット及びデータ速度を用いるべきかについての同意に達する。
【００３６】
フラグメンテーション／デフラグメンテーション手順
ＴＤＦプロトコルにおいて、ＭＳＤＵの送信についてのタイムスロット持続時間は、ｔｄｆＣｏｍｍｏｎＴｉｍｅＳｌｏｔＤｕｒａｔｉｏｎとして固定される。一部のデータ速度においては、ＭＳＤＵの長さが閾値より長いとき、単独のタイムスロットにおいてそのＭＳＤＵを送信することは不可能である。それ故、上り送信についてのデータフレームが、その閾値であって、より長いとき、ｔｄｆＦｒａｇｍｅｎｔａｔｉｏｎＴｈｒｅｓｈｏｌｄとして定義され、異なるデータ速度に依存して変化する、閾値より長いとき、そのデータフレームは、送信についてスケジューリングされる前に、フラグメント化される。フラグメントフレームの長さは、最後を除く全てのフラグメントについて、より小さいことが可能であるオクテット（ｔｄｆＦｒａｇｍｅｎｔａｔｉｏｎＴｈｒｅｓｈｏｌｄオクテット）に等しい数である。フラグメンテーションの後、フラグメント化されたフレームは、ＴＤＦアクセスポイントに対する送信についての出力キューに置かれる。このフラグメンテーション手順は、ＴＤＦフレーム送信エンティティにおいてｔｄｆＦｒａｇｍｅｎｔａｔｉｏｎＴｈｒｅｓｈｏｌｄの動的なセットを用いることにより、ＴＤＦフレーム送信エンティティ又は上位レイヤにおいて実行されることが可能である。
【００３７】
ＴＤＦアクセスポイントにおいて、受信された各々のフラグメントは、完全なフレームがその構成フラグメントと似るようにする情報を有する。各々のフラグメントのヘッダは、そのフレームに似ているＴＤＦアクセスポイントにより用いられる次のような情報を有する。
−  フレームタイプ
−  アドレス２フィールドから得られる送信元のアドレス
−  宛先アドレス
−  シーケンス制御フィールド：このフィールドは、ＴＤＦアクセスポイントが、全ての入力フラグメントを同じＭＳＤＵに属すことと、それらのフラグメントが似ている必要があるシーケンスを調べることを可能にする。シーケンス制御フィールドにおけるシーケンス数は、ＭＳＤＵの全てのフラグメントについて同様に保たれる一方、シーケンス制御フィールドにおけるフラグメント数は、各々のフラグメントにおいてインクリメントされる。
−  より多くのフラグメントの指標：これはデータフレームの最後のフラグメントでないことを、ＴＤＦアクセスポイントに示す。ＭＳＤＵの最後のフラグメントのみ又は１つのフラグメントのみが、０に設定されたこのビットを有する。ＭＳＤＵの他のフラグメント全ては、１に設定されたこのビットを有する。
【００３８】
ＴＤＦアクセスポイントは、シーケンス制御フィールドのフラグメント番号のサブフィールドの順に、それらのフラグメントを結合することにより、ＭＳＤＵを再構築する。０に設定されたそのより多くのフラグメントのビットを有するフラグメントが未だに、受信されていない場合、ＴＤＦのアクセスポイントは、そのフレームが未だに完全でないことを認識する。ＴＤＦアクセスポイントが、０に設定されたそのより多くフラグメントのビットを有するフラグメントを受信するとすぐ、それ以上のフラグメントはそのフレームについて受信されないことを認識する。
【００３９】
ＴＤＦアクセスポイントは、各々のフレームが受信されるように、受信タイマーを保つ。また、属性、即ち、フレームを受信することを可能にされる最大時間量を指定するｔｄｆＭａｘＲａｃｅｉｖｅＬｉｆｅｔｉｍｅが存在する。受信タイマーは、ＭＳＤＵの最初のフラグメントの受信時に開始する。受信フレームタイマーがｔｄｆＭａｘＲａｃｅｉｖｅＬｉｆｅｔｉｍｅを越える場合、このＭＳＤＵの全ての受信されたフラグメントは、ＴＤＦアクセスポイントにより捨てられる。方向付けされたＭＳＤＵの付加フレームが、そのｔｄｆＭａｘＲａｃｅｉｖｅＬｉｆｅｔｉｍｅを越えた後に受信される場合、それらのフラグメントは捨てられる。
【００４０】
上り送信手順
ＴＤＦアクセスポイントから登録応答フレームを受信した後、ＴＤＦステーションは、上りタイムスロットが保証されているかどうかを理解するように、フレーム本体を解析する。それが否定的な場合、それはしばらくの間、停止され、後に、上りタイムスロットに対して適用される。それが肯定的な場合、登録応答フレームにおいて示されているデータ速度を用いて、割り当てられたタイムスロットの間に、上りトラフィックを送信し始める。
【００４１】
関連タイムスロットの間の上り送信の開始時に、ＴＤＦステーションは、出力キューにおいて少なくとも１つの出力フレームが存在する場合に、ＴＤＦアクセスポイントにその出力キューにおける第１フレームを送信する。その後、ＴＤＦステーションは、第２の上りフレームの長さを調べて、関連タイムスロットにおける残りの持続時間中に、その最初のフレームを送信することが可能であるかどうかを評価する。それが否定的な場合、そのＴＤＦステーションは上り送信手順を停止し、次のＴＤＦスーパーフレームの間、関連タイムスロットにそのフレームを送信するのを待つ。それが肯定的な場合、それはすぐに、目的のＴＤＦアクセスポイントに第２フレームを送信する。その送信手順は、関連タイムスロットが終了するまで、又は、送信される何れの上りフレームも存在しなくなるまで、このように、継続して実行される。
【００４２】
下り送信手順
全部のＴＤＦ通信手順において、全下りタイムスロット数は、変化している関連ステーション数により、動的に変化することが可能である。ＴＤＦアクセスポイントが、関連ステーションにフレームを送信するように準備しているとき、合意されたデータ速度を用いて、特定の下りフレームを送信するために必要な持続時間と、残りの下りタイムスロットに残っている時間を比較する。その場合、その結果に基づいて、そのフレームが、このＴＤＦスーパーフレームの間、特定のデータ速度で送信される必要があるかどうかが判定される。更に、ＴＤＦアクセスポイントは、何れの下りフレームもフラグメント化する必要はない。
【００４３】
関連ＳＴＡが上りトラフィックを送信する時間でない場合、ステーションは常に、対象とする可能な下りフレームのためのチャネルを受信する。
【００４４】
不当録手順
図７に示すように、ＴＤＦステーションがＴＤＦ通信手順をやめることを決定する場合、そのＴＤＦステーションは、そのために割り当てられた上りタイムスロット資源を開放するように、ＴＤＦアクセスポイントに情報を与えるように、上りタイムスロットの間に、関連ＴＤＦアクセスポイントに不登録要求フレームを送信する。不登録要求フレームを受信した後、ＴＤＦアクセスポイントは、ＴＤＦステーションのために割り当てられた上りタイムスロットを開放し、それを、将来の使用のために、開放されたタイムスロットのプールに置く。
【００４５】
アライブ通報手順
ここで、図８を参照するに、ＴＤＦステーションが、不意に、機能停止する又は中断するときに、できるだけ速く、それらの資源を開放するように、ＴＤＦステーションは、上りタイムスロット期間中に、ＴＤＦアクセスポイントに定期的にアライブ通報フレームを送信することにより、ＴＤＦステーションのアライブネスを報告する必要がある。ｔｄｆＡｌｉｖｅＮｏｔｉｆｉｃａｔｉｏｎＣｙｃｌｅと命名された所定の閾値期間の間、何れのアライブ通報フレームも存在していない場合、関連ＴＤＦアクセスポイントは、ＴＤＦステーションがサービスを停止したと考え、次いで、ＴＤＦステーションから不登録要求フレームのまさに受信のように、ＴＤＦステーションのために割り当てられた上りタイムスロットを開放する。
【００４６】
マルチレート可能ＴＤＦステーションにおける相互運用性及び共存性を確実にするように、この仕様は、全てのステーションが従う、次のようなルールの集合を規定する。
−  同期フレームは、全てのステーションが理解できるように、ＴＤＦ基本速度セットにおける最低速度で送信される。
−  接続先のユニキャストアドレスを有する全てのフレームは、登録機構が選択した支援データ速度で送信される。受信ステーションが支援しない速度で、ユニキャストフレームを送信するステーションは存在しない。
−  接続先のマルチキャストアドレスを有する全てのフレームは、ＴＤＦ基本速度セットにおける最高速度で送信される。
【００４７】
上記の説明においては、本発明の好適な実施形態及び特徴について詳述されているが、本発明から逸脱することなく、デザイン又は構成の詳細における多くの変形が実行可能であることを、当業者は理解することができるであろう。本発明は、開示している特徴の全てを個別に、全ての可能な並び換え及び組み合わせで、拡張することができる。
【図面の簡単な説明】
【００４８】
【図１】本発明に従った、例示としてのＴＤＦアクセスネットワークアーキテクチャの模式図である。
【図２】ＯＳＩ参照モデルにおける８０２．１１ＭＡＣサブレイヤを示す図である。
【図３】本発明に従ったＯＳＩ参照モデルにおけるＴＤＦ送信エンティティを示す図である。
【図４】本発明に従った通信モードに入る手順を示す図である。
【図５】本発明の一実施形態に従ったＴＤＦスーパーフレーム構造を示す図である。
【図６】本発明の一実施形態に従った登録手順を示す図である。
【図７】本発明の一実施形態に従った不登録手順を示す図である。
【図８】本発明の一実施形態に従ったアライブ通報手順を示す図である。
【図１】
2009533919.tif 000004
【図２】
2009533919.tif 000005
【図３】
2009533919.tif 000006
【図４】
2009533919.tif 000007
【図５】
2009533919.tif 000008
【図６】
2009533919.tif 000009
【図７】
2009533919.tif 000010
【図８】
2009533919.tif 000011
【手続補正書】
【提出日】平成20年10月21日(2008.10.21)
【手続補正１】
【補正対象書類名】特許請求の範囲
【補正対象項目名】全文
【補正方法】変更
【補正の内容】
【特許請求の範囲】
【請求項１】
通信媒体において、中央装置に接続された１つ又はそれ以上のネットワーク端末を有するアクセスネットワークのための中央装置における媒体アクセス制御方法であって：
キャリア周波数で、スーパーフレームの下りタイムスロットにおいて前記ネットワーク端末に前記中央装置から下りデータフレームを送信するステップ；及び
同じ前記キャリア周波数で、前記スーパーフレームの上りタイムスロットにおいて前記ネットワーク端末から上りデータフレームを受信するステップ；
を有する、媒体アクセス制御方法であり、
前記中央装置は、有線通信媒体において、前記１つ又はそれ以上のネットワーク端末に接続されている；
ことを特徴とし、前記媒体アクセス制御方法は：
それぞれのネットワーク端末に前記上りタイムスロットを割り当てるステップであって、それにより、前記中央装置は、前記スーパーフレームのそれぞれの割り当てられた上りタイムスロットにおける前記ネットワーク端末から前記上りデータフレームを受信する、ステップ；
を更に有し、
前記スーパーフレームは、前記中央装置から前記ネットワーク端末にデータフレームを送信する少なくとも１つの下りタイムスロットであって、下りタイムスロットは複数のネットワーク端末への送信のために共有されている、少なくとも１つの下りタイムスロットと、上りデータフレームを送信する前記ネットワーク端末に前記中央装置によりそれぞれ割り当てられる１つ又はそれ以上の上りタイムスロットと、を有する複数のタイムスロットに分割され、各々の上りタイムスロットは単独のネットワーク端末に割り当て可能である；
ことを特徴とする媒体アクセス制御方法。
【請求項２】
請求項１に記載の媒体アクセス制御方法であって：
前記ネットワーク端末が前記中央装置の時間と同期されることが可能である同期情報を定期的に送信するように、前記スーパーフレームの各々の一において、同期タイムスロットにおける前記ネットワーク端末に前記中央装置から同期フレームを送信するステップ；
を更に有することを特徴とする、媒体アクセス制御方法。
【請求項３】
請求項１に記載の媒体アクセス制御方法であって：
前記スーパーフレームの各々の一の接続タイムスロットにおいて上りタイムスロットを割り当てる前記ネットワーク端末からの登録要求を受信するステップ；
を更に有することを特徴とする、媒体アクセス制御方法。
【請求項４】
請求項３に記載の媒体アクセス制御方法であって、前記中央装置は、競合タイムスロットのそれぞれのサブタイムスロットにおいて上りタイムスロットを割り当てる前記ネットワーク端末から前記登録要求を受信することを特徴とする、媒体アクセス制御方法。
【請求項５】
請求項４に記載の媒体アクセス制御方法であって、前記競合タイムスロットは、持続時間の長さに等しい、所定数のサブタイムスロットに分割されることを特徴とする、媒体アクセス制御方法。
【請求項６】
請求項４又は５に記載の媒体アクセス制御方法であって、前記ネットワーク端末について、予め割り当てられた上りタイムスロットが存在しないとき、前記中央装置は、前記競合タイムスロットのランダムに選択されたサブタイムスロットにおける前記ネットワーク端末から前記登録要求を受信し、そうでないとき、前記中央装置は、前記ネットワークについて、予め割り当てられた上りタイムスロットの同じシーケンス数の値を有するサブタイムスロットにおいて前記登録要求を受信することを特徴とする、媒体アクセス制御方法。
【請求項７】
請求項１に記載の媒体アクセス制御方法であって：
前記ネットワーク端末から受信された登録要求に応答して、前記ネットワーク端末に前記中央装置から登録要求を送信するステップ；
を更に有することを特徴とする、媒体アクセス制御方法。
【請求項８】
請求項１に記載の媒体アクセス制御方法であって：
前記ネットワーク端末から受信された不登録要求に応答して、ネットワーク端末について割り当てられる上りタイムスロットを開放するステップ；
を更に有することを特徴とする、媒体アクセス制御方法。
【請求項９】
請求項１に記載の媒体アクセス制御方法であって：
所定の閾値より長い時間の間、前記ネットワーク端末から受信されるアライブ通報が存在しない場合、ネットワーク端末について割り当てられる上りタイムスロットを開放するステップ；
を更に有することを特徴とする、媒体アクセス制御方法。
【請求項１０】
通信媒体において、中央装置に接続された１つ又はそれ以上のネットワーク端末を有するアクセスネットワークのための中央装置における媒体アクセス制御方法であって：
キャリア周波数で、スーパーフレームの下りタイムスロットにおいて前記ネットワーク端末に前記中央装置から下りデータフレームを受信するステップ；及び
同じ前記キャリア周波数で、前記スーパーフレームの上りタイムスロットにおいて前記ネットワーク端末から上りデータフレームを送信するステップ；
を有する、媒体アクセス制御方法であり、
前記ネットワーク端末は、有線通信媒体において、前記中央装置に接続されている；
前記媒体アクセス制御方法であり、
前記上りデータフレームを送信する前記ネットワーク端末のために、スーパーフレームの各々の一における１つの専用の上りタイムスロットを割り当てるステップであって、それにより、前記ネットワーク端末は、前記スーパーフレームの前記専用の上りタイムスロットにおいて、前記上りデータフレームを送信する、ステップ；
を更に有し、
前記スーパーフレームは、前記中央装置から前記ネットワーク端末にデータフレームを送信する少なくとも１つの下りタイムスロットであって、下りタイムスロットは複数のネットワーク端末への送信のために共有されている、少なくとも１つの下りタイムスロットと、上りデータフレームを送信する前記ネットワーク端末に前記中央装置によりそれぞれ割り当てられる１つ又はそれ以上の上りタイムスロットと、を有する複数のタイムスロットに分割され、各々の上りタイムスロットは単独のネットワーク端末に割り当て可能である；
ことを特徴とする媒体アクセス制御方法。
【請求項１１】
請求項１０に記載の媒体アクセス制御方法であって：
前記中央装置との同期時分割モード通信を開始するように、そして、受信された同期情報に応答して、前記中央装置の時間と定期的に同期するように、前記スーパーフレームの各々の一において、同期タイムスロットにおける前記ネットワーク端末に前記中央装置から同期フレームを送信するステップ；
を更に有することを特徴とする、媒体アクセス制御方法。
【請求項１２】
請求項１１に記載の媒体アクセス制御方法であって：
前記スーパーフレームの各々の一の競合タイムスロットにおいて前記ネットワーク端末のために、前記スーパーフレームの各々の一における１つの専用の上りタイムスロットを割り当てるように、受信された同期フレームに応答して、前記ネットワーク端末から前記中央装置に登録要求を送信するステップ；
を更に有することを特徴とする、媒体アクセス制御方法。
【請求項１３】
請求項１２に記載の媒体アクセス制御方法であって、前記ネットワーク端末は、前記競合タイムスロットのそれぞれのサブタイムスロットにおいて前記中央装置に前記上りタイムスロットを割り当てるために前記登録要求を送信することを特徴とする、媒体アクセス制御方法。
【請求項１４】
請求項１３に記載の媒体アクセス制御方法であって、前記競合タイムスロットは、持続時間の長さに等しい、所定数のサブタイムスロットに分割されることを特徴とする、媒体アクセス制御方法。
【請求項１５】
請求項１３又は１４に記載の媒体アクセス制御方法であって、前記ネットワーク端末について、予め割り当てられた上りタイムスロットが存在しないとき、前記ネットワーク端末は、前記競合タイムスロットのランダムに選択されたサブタイムスロットにおける前記中央装置に対する前記登録要求を送信し、そうでないとき、前記ネットワーク端末は、前記ネットワークについて、予め割り当てられた上りタイムスロットの同じシーケンス数の値を有するサブタイムスロットにおいて前記登録要求を送信することを特徴とする、媒体アクセス制御方法。
【請求項１６】
請求項１０に記載の媒体アクセス制御方法であって：
前記ネットワーク端末から送信された登録要求に応答して、前記中央装置から前記登録要求を送信するステップ；
を更に有することを特徴とする、媒体アクセス制御方法。
【請求項１７】
請求項１０に記載の媒体アクセス制御方法であって：
前記ネットワーク端末が、前記中央装置との現在の通信モードを終了することを決定するとき、前記ネットワーク端末について割り当てられる上りタイムスロットを開放するように、前記中央装置に不登録要求を送信するステップ；
を更に有することを特徴とする、媒体アクセス制御方法。
【請求項１８】
請求項１０に記載の媒体アクセス制御方法であって：
前記中央装置との前記現在の通信モードを保つように、前記中央装置にアライブ通史を定期的に送信するステップ；
を更に有することを特徴とする、媒体アクセス制御方法。
【国際調査報告】
2009533919.tif 000012
2009533919.tif 000013
2009533919.tif 000014